(57)【要約】【課題】  インクを容易に注入することができるインクジェット記録装置を提供する【解決手段】  インクを吐出して画像を記録する記録ヘッドと、インクを注入するための注入口を有し、記録ヘッドへ供給されるインクを収容するインクタンクと、注入口をキャッピング可能なキャップと、キャップをインクタンクまたは装置本体と接続する接続部と、を備えるインクジェット記録装置であって、注入口に隣接して設けられたリブを備え、接続部はキャップを注入口から離れる方向に付勢し、注入口から取り外されたキャップは、接続部の付勢によってリブに当接した状態で注入口を開放する。【選択図】  図９
2018183960.tif 000002
【特許請求の範囲】
【請求項１】
インクを吐出して画像を記録する記録ヘッドと、
インクを注入するための注入口を有し、前記記録ヘッドへ供給されるインクを収容するインクタンクと、
前記注入口をキャッピング可能なキャップと、
前記キャップを前記インクタンクまたは装置本体と接続する接続部と、を備えるインクジェット記録装置であって、
前記注入口に隣接して設けられたリブを備え、
前記接続部は前記キャップを前記注入口から離れる方向に付勢し、前記注入口から取り外された前記キャップは、前記接続部の付勢によって前記リブに当接した状態で前記注入口を開放することを特徴とするインクジェット記録装置。
【請求項２】
前記接続部は弾性部材であり、弾性力によって前記キャップを前記注入口から離れる方向に付勢することを特徴とする請求項１に記載のインクジェット記録装置。
【請求項３】
前記接続部は、前記キャップと接続されたリード部と、前記リード部を屈曲する屈曲部とを有し、前記屈曲部は前記リード部を前記注入口から離す方向に屈曲していることを特徴とする請求項１または２に記載のインクジェット記録装置。
【請求項４】
前記キャップを露出する露出位置と前記キャップを被覆する被覆位置とに移動可能なカバーを備え、
前記キャップが前記注入口から取り外されているとき、前記カバーは前記露出位置から前記被覆位置への移動が規制されることを特徴とする請求項１から３のいずれか１項に記載のインクジェット記録装置。
【請求項５】
前記カバーは、前記被覆位置において前記インクタンクの前記注入口が設けられた面と対向する内面にカバーリブが設けられていることを特徴とする請求項４に記載のインクジェット記録装置。
【請求項６】
前記記録ヘッドと前記インクタンクを接続するインク流路と、前記インク流路を介して前記インクタンクから前記記録ヘッドへのインク供給が可能な開状態と前記インク流路を介して前記インクタンクから前記記録ヘッドへのインク供給が遮断される閉状態とに切替可能なバルブと、を備え、
前記カバーが前記被覆位置のとき前記バルブは前記開状態であり、前記カバーが前記露出位置のとき前記バルブは前記閉状態であることを特徴とする請求項４または５に記載のインクジェット記録装置。
【請求項７】
前記記録ヘッドにより画像を記録された記録媒体を排出する排出部を備え、
前記インクタンクはブラックインクを収容するブラック用インクタンクとカラーインクを収容するカラー用インクタンクとを有し、
前記排出部は前記ブラック用インクタンクと前記カラー用インクタンクの間に設けられていることを特徴とする請求項１から６のいずれか１項に記載のインクジェット記録装置。
【発明の詳細な説明】
【技術分野】
【０００１】
本発明は、インクが注入される注入口を備えるインクジェット記録装置に関する。
【背景技術】
【０００２】
特許文献１には、インクを注入するための注入口を有するインクタンクと、インクタンクから供給されるインクを吐出する記録ヘッドとを備えた記録装置が開示されている。インクタンクの注入口は閉塞部材によって開閉可能であり、ユーザは閉塞部材を注入口から外して載置部に載置した状態でインクタンク内へのインクの注入ができる。
【先行技術文献】
【特許文献】
【０００３】
【特許文献１】特開２０１６−１６５９０８号公報
【発明の概要】
【発明が解決しようとする課題】
【０００４】
しかしながら、特許文献１に記載の装置では、ユーザは閉塞部材を注入口から取り外し、載置部に載置してからインクを注入する。インクの注入が終わると、ユーザは載置部から閉塞部材を取り外して注入口に戻す必要がある。仮にユーザが閉塞部材を載置部に載置せずにインクを注入しようとすると、閉塞部材が注入口の上に被さって注入口を覆ってしまい、インクを注入しにくい場合がある。
【０００５】
本発明は、上記課題に鑑みてなされたものであり、インクを容易に注入することができるインクジェット記録装置を提供することを目的とする。
【課題を解決するための手段】
【０００６】
上記課題を解決するため、本発明に係るインクジェット記録装置は、インクを吐出して画像を記録する記録ヘッドと、インクを注入するための注入口を有し、前記記録ヘッドへ供給されるインクを収容するインクタンクと、前記注入口をキャッピング可能なキャップと、前記キャップを前記インクタンクまたは装置本体と接続する接続部と、を備えるインクジェット記録装置であって、前記注入口に隣接して設けられたリブを備え、前記接続部は前記キャップを前記注入口から離れる方向に付勢し、前記注入口から取り外された前記キャップは、前記接続部の付勢によって前記リブに当接した状態で前記注入口を開放することを特徴とする。
【発明の効果】
【０００７】
本発明によれば、インクを容易に注入することができるインクジェット記録装置を提供することができる。
【図面の簡単な説明】
【０００８】
【図１】第１実施形態に係るインクジェット記録装置を示す外観斜視図である。
【図２】第１実施形態に係るインクジェット記録装置の内部構成を示す概略斜視図である。
【図３】第１実施形態に係るインクジェット記録装置のインク供給系を示す模式図である。
【図４】第１実施形態に係るインクジェット記録装置のインク供給系を示す模式図である。
【図５】第１実施形態に係るインクタンクに対するインク注入動作を説明する図である。
【図６】第１実施形態に係るタンクカバーとバルブユニットの構成を示す斜視図である。
【図７】第１実施形態に係るタンクカバーとバルブユニットの構成を示す概略断面図である。
【図８】第１実施形態に係るキャップとその周辺構成を示す図である。
【図９】第１実施形態に係るキャップとその周辺構成を示す図である。
【図１０】第１実施形態に係るキャップとタンクカバーの構成を示す図である。
【図１１】第１実施形態に係るキャップとタンクカバーの構成を示す図である。
【図１２】第２実施形態に係るキャップとその周辺構成を示す図である。
【図１３】第２実施形態に係るキャップとその周辺構成を示す図である。
【発明を実施するための形態】
【０００９】
本発明に係るインクジェット記録装置の実施形態について説明する。ただし、実施形態に記載されている構成要素はあくまで例示であり、本発明の範囲を限定する趣旨のものではない。本明細書においては、間欠的に搬送される記録媒体に対しインクを吐出する記録ヘッドを、記録媒体の搬送方向と交差する方向に往復移動させて記録を行う、シリアル型のインクジェット記録装置を例に説明する。しかしながら、本発明はシリアル型のインクジェット記録装置に限らず、長尺プリントヘッドを用いて連続的にプリントを行うライン型のインクジェット記録装置にも適用することができる。本明細書において「インク」とは、記録液などの液体の総称として用いる。さらに本明細書において「記録」とは、平面的なものに対する記録に限らず、立体物に対する記録も含む。本明細書において「記録媒体」とは、液体を吐出されるものであって、紙、布、プラスチックフィルム、金属板、ガラス、セラミックス、木材、皮革等の記録媒体の総称として用いる。さらに、記録媒体はカット紙に限らずロール状の連続紙も含む。
【００１０】
〔第１実施形態〕
以下、本発明の第１実施形態について図面を参照しながら詳細に説明する。図１は、本実施形態におけるインクジェット記録装置（以下、記録装置）１１の概要を示す外観斜視図である。図１に示すように記録装置１１は、筐体（外装部）２０と、記録媒体（不図示）に記録動作を行う記録ヘッド１３（図２参照）と、記録ヘッド１３へ供給されるインクを収容するインク収容容器としてのインクタンク１５と、を備える。本実施形態においてインクタンク１５は、筐体２０の前面に配され、記録装置１１本体に固定されている。また、筐体２０の上部には、原稿の読み取り動作を行うスキャナユニット１７と、ユーザが指令入力などの操作が可能な操作入力部１８を備える。
【００１１】
図２は、記録装置１１の内部構成を示す斜視図である。記録装置１１は、記録媒体を給送する給送部５００と、記録媒体を搬送する搬送ローラ１６と、記録媒体を排出する排出部４０（図１参照）と、を備える。記録媒体は不図示のローラによって給送部５００から記録装置１１の内部へ給送される。給送された記録媒体は、搬送ローラ１６によって搬送されながら、記録ヘッド１３による記録動作が行われる。記録が完了した記録媒体は、排出部４０から記録装置１１の外部へ排出される。記録媒体が搬送される方向（図２に示すＹ方向）を搬送方向と称する。
【００１２】
キャリッジ１２は、不図示の駆動源によって記録媒体の搬送方向（Ｙ方向）と交差する主走査方向（Ｘ方向）に沿って移動する。本実施形態において、搬送方向と主走査方向は直交する。記録ヘッド１３はキャリッジ１２に搭載され、主走査方向に移動しながらインク滴を吐出して、記録媒体に対して１バンド分の画像を記録する記録動作を行う。記録媒体に１バンド分の画像が記録されると、記録媒体は搬送ローラ１６によって所定量だけ搬送方向に搬送される（間欠搬送動作）。この１バンド分の記録動作と間欠搬送動作を繰り返すことによって、記録媒体の全体に画像が記録される。
【００１３】
さらに記録装置１１には、キャリッジ１２の主走査方向における移動領域内にメンテナンス部が設けられている。メンテナンス部は、記録ヘッド１３のメンテナンス処理を行うメンテナンスユニットを備え、記録ヘッド１３のインク吐出口面３１（図４参照）と対向可能な位置に配される。メンテナンスユニットは、インク吐出口面３１をキャッピング可能なキャップと、キャッピングした状態で強制的にインクを吸引して吐出口内の残留気泡や増粘したインクを除去するための吸引回復動作を行う吸引回復機構等を備えている。メンテナンスユニットのメンテナンス処理によって、記録ヘッド１３の吐出性能が維持される
図３は、記録装置１１のインク供給系を示す概略図であり、記録装置１１の後方側から見た図である。インクタンク１５は、対応するインク色毎に設けられている。本実施形態では、ブラックインク用インクタンク（ブラック用インクタンク）１５１、シアン用インクタンク１５２、マゼンタ用インクタンク１５３、イエロー用インクタンク１５４の４つのインクタンクを備え、これらをまとめてインクタンク１５と称する。図２に示すように、ブラック用インクタンク１５１は記録装置１１の正面から見て排出部４０の左側に配される。一方、シアン用インクタンク１５２とマゼンタ用インクタンク１５３とイエロー用インクタンク１５４は、記録装置１１の正面から見て排出部４０の右側に配される。すなわち、排出部４０はブラック用インクタンク１５１とカラー用インクタンクとの間に設けられている。
【００１４】
インクタンク１５には、記録ヘッド１３へインクを供給するためのインク供給路（インク流路）１４を構成する可撓性チューブが取り付けられている。また、インクタンク１５には、内部を大気と連通させるための大気連通路２５を構成する可撓性チューブが取り付けられている。インクタンク１５の上部には、ユーザがインクタンク１５の内部へインクを注入するためのインク注入口２１が設けられている。また、インク注入口２１には、インク注入口２１を封止するためのタンクキャップ（以下、キャップ）２２が取り付けられている。ユーザは、キャップ２２を取り外すことでインク注入口２１からインクタンク１５内へインクを注入することが可能となる。キャップ２２及びインク注入口２１周辺の詳しい構成については後述する。
【００１５】
図４は、インクタンク１５と記録ヘッド１３の位置関係を示すインク供給系の模式図である。一点鎖線で囲われた部分はインク供給路１４を示す。インクタンク１５は、上部にインクを収容するインク収容室３４が配され、下部にバッファ室３３が配されている。インク注入口２１はインク収容室３４と連通している。また、インク注入口２１にはキャップ２２が装着されている。バッファ室３３の天井面はインク収容室３４の底面の一部によって構成されるように、インク収容室３４とバッファ室３３はインクタンク１５内部に一体的に形成されている。
【００１６】
インク収容室３４とバッファ室３３は、インクタンク１５の搬送方向下流側に配され、インク収容室３４の一部を形成する接続路３４１によって接続される。図４に示すように、接続路３４１はインク収容室３４から鉛直下方へ延びてインクタンク１５の最下面でバッファ室３３と接続する。すなわち、インクタンク１５にインクが収容されている状態とは、インクがインク収容室３４と接続後３４１に収容されている状態をいう。インクタンク１５の搬送方向上流側には、インク流通口１４１を介してインク供給路１４が接続される。従って、インク収容室３４に収容されているインクは、インク流通口１４１からインク供給路１４を通って記録ヘッド１３へ供給される。
【００１７】
インクタンク１５の上部であって搬送方向上流側には、外部の空気と連通する大気連通口２３が設けられている。バッファ室３３は大気連通路２５によって大気連通口２３と接続され、バルブユニット２４が開状態のときは大気連通路２５が解放されてバッファ室３３と大気が連通する。一方バルブユニット２４が閉状態のときは、大気連通路２５が閉塞されてバッファ室３３と大気は連通しない。バッファ室３３はインク収容室３４とも接続されているため、バッファ室３３が大気と連通しているとき、インク収容室３４も大気と連通する。バッファ室３３が大気と連通していないときは、インク収容室３４も大気と連通しない。
【００１８】
また、本実施形態のバルブユニット２４はインク供給路１４の開閉も切替可能である。すなわち、バルブユニット２４が開状態のときは、大気連通路２５とインク供給路１４が解放される。バルブユニット２４が閉状態のときは、大気連通路２５とインク供給路１４が閉塞されて遮断される。さらにバルブユニット２４は、図３に示すように、ブラック用バルブユニット２４Ｂｋとカラー用バルブユニット２４Ｃｌによって構成される。ブラック用バルブユニット２４Ｂｋは、ブラック用インクタンク１５１に接続されるインク供給路１４と大気連通路２５の開閉を切り替える。カラー用バルブユニット２４Ｃｌは、シアン用インクタンク１５２とマゼンタ用インクタンク１５３とイエロー用インクタンク１５４のそれぞれに接続されるインク供給路１４と大気連通路２５の開閉を切り替える。
【００１９】
インクタンク１５は、上述した構成により接続路３４１とバッファ室３３の間に気液交換部３２を有し、気液交換部３２は記録ヘッド１３のインク吐出口面３１よりも高さＨだけ低くなるように設けられている。これにより、インク吐出口面３１に高さＨ分の水頭差による負圧がかかり、インク吐出口面３１からインクが漏れることを抑制する。
【００２０】
また、バッファ室３３は、インク収容室３４内の空気が気圧変動や温度変化等によって膨張したときに、インク収容室３４から押し出されたインクを収容することができる。これにより、インクが大気連通路２５を通って大気連通口２３から漏れ出るのを抑制することができる。
【００２１】
次に図５を用いて、ユーザによるインク注入動作を説明する。図５は、記録装置１１の斜視図である。図５（ａ）はスキャナユニット１７が閉じた状態を示す。ユーザがインク注入動作を行う際は、まずスキャナユニット１７を上方へ持ち上げて、図５（ｂ）に示す開状態にする。スキャナユニット１７の下方には、インク注入口２１等を覆うタンクカバー４２が設けられている。ブラック用タンクカバー４２Ｂｋはブラック用インクタンク１５１のインク注入口２１を覆う。カラー用タンクカバー４２Ｃｌは、シアン用インクタンク１５２とマゼンタ用インクタンク１５３とイエロー用インクタンク１５４のそれぞれのインク注入口２１を共通に覆う。ブラック用タンクカバー４２Ｂｋとカラー用タンクカバー４２Ｃｌをまとめてタンクカバー４２と称する。
【００２２】
タンクカバー４２は、記録装置１１本体に軸支され、回動軸を中心に、インク注入口２１及びキャップ２２を覆う位置（被覆位置）とインク注入口２１及びキャップ２２を露出する位置（露出位置）とに回動（移動）可能である。ユーザがインクを注入する際は、タンクカバー４２を被覆位置から露出位置まで移動させる（開ける）。これにより図５（ｃ）に示すように、ユーザはインク注入口２１やキャップ２２へのアクセスが可能となる。なお、詳細は後述するが、タンクカバー４２の操作はバルブユニット２４の操作と連動している。すなわち、ユーザがタンクカバー４２を開ける動作に連動して、バルブユニット２４は閉状態になり、インク供給路１４と大気連通路２５が閉塞される。
【００２３】
図５（ｃ）に示す状態で、ユーザはインク注入口２１に取り付けられているキャップ２２を取り外し、不図示のインクボトルのインクをインク注入口２１から注入する。インク注入動作が完了した後、ユーザは再びキャップ２２をインク注入口２１に取り付け、タンクカバー４２を露出位置から被覆位置まで移動させる（閉じる）。ユーザがタンクカバー４２を閉じる動作に連動して、バルブユニット２４は閉状態から開状態になり、インク供給路１４と大気連通路２５が開放される。その後、ユーザはスキャナユニット１７を閉じて、図５（ａ）に示す状態に戻す。
【００２４】
次に、図６を用いてタンクカバー４２とバルブユニット２４の詳しい構成について説明する。バルブユニット２４は、インク供給路１４と大気連通路２５を構成するチューブユニット８１を保持している。バルブユニット２４は、チューブユニット８１を保持する保持部材８２と、鉛直方向（Ｚ方向）に変位してチューブユニット８１を押し潰すことで閉塞させる変位部材８３と、を有する。また、バルブユニット２４は、回転可能に軸支され変位部材８３と摺擦するカム面を持つカム部材８４と、カム部材８４を支持し保持部材８２に対して固定されるカバー部材８５と、を有する。
【００２５】
図７を用いて、バルブユニット２４がインク供給路１４と大気連通路２５を閉塞する動作について説明する。図７では簡略化のため、タンクカバー構成部材４２ａによってタンクカバー４２の動きを説明する。タンクカバー構成部材４２ａはタンクカバー４２を構成する一部品であり、タンクカバー４２が移動すると一体的に動く。
【００２６】
図７（ａ）は、バルブユニット２４の開状態を示し、変位部材８３がチューブユニット８１を押し潰していない状態を示す。このとき、タンクカバー４２は被覆位置にある（図５（ｂ））。インク供給路１４は開放されているため、インクタンク１５から記録ヘッド１３へのインク供給が可能である。また大気連通路２５も開放されており、インクタンク１５の内部と大気は連通している。
【００２７】
ユーザがタンクカバー４２を露出位置へ開くと、タンクカバー構成部材４２ａの回動に伴って、カム部材８４は反時計回りに回転する（図７（ｂ）参照）。そして図７（ｂ）、（ｃ）に示すように、カム部材８４のカム面の回転中心に対して凸な部分が変位部材８３と当接することによって、変位部材８３が図７中の−Ｚ方向に変位してチューブユニット８１を押し潰す。変位部材８３が図７（ｃ）に示す位置まで回転したとき、バルブユニット２４は閉状態となり、チューブユニット８１は押し潰されて閉塞される。このとき、タンクカバー４２は露出位置にある（図５（ｃ））。図７（ｃ）に示す状態では、インク供給路１４は閉塞されており、インクタンク１５から記録ヘッド１３へインクを供給することができない。また、大気連通路２５も閉塞されているため、インクタンク１５の内部と大気は連通していない。
【００２８】
上述した構成により、ユーザによるタンクカバー４２の開閉動作で、インク供給路１４と大気連通路２５の開閉状態を容易に切り替えることができる。このため、ユーザによるインク注入動作の際は必ずインク供給路１４と大気連通路２５が閉塞され、インクがインクタンク１５から漏れ出ることを抑制することができる。
【００２９】
次に、キャップ２２及びその周辺構成について図８〜図１０を用いて説明する。図８〜図１０では例としてカラーインク用のインクタンク１５のキャップ２２を説明するが、ブラック用インクタンク１５１においても同様である。図８（ａ）は、カラー用タンクカバー４２Ｃｌが露出位置にあり、キャップ２２が注入口２１に装着されて塞いでいる状態を示す。キャップ２２によって注入口２１をキャッピングしているため、図８（ａ）に示すキャップ２２の位置をキャッピング位置とも称する。シアン用インクタンク１５２はシアン用注入口２１ａに対してシアン用キャップ２２ａが取り付けられている。同様に、マゼンタ用インクタンク１５３はマゼンタ用注入口２１ｂに対してマゼンタ用キャップ２２ｂが取り付けられ、イエロー用インクタンク１５４にはイエロー用注入口２１ｃに対してイエロー用キャップ２２ｃが取り付けられている。
【００３０】
記録装置１１本体には、注入口２１の後方側（搬送方向上流側）に取付部２２３が設けられ、キャップ２２は取付部２２３に取り付けられることで、記録装置１１本体と繋がれている。また、取付部２２３には前方（搬送方向下流）側に延びるリブ３０が、各注入口２１と隣接するように設けられている。図８（ａ）において、シアン用取付部２２３ａの左側にリブ３０ａが設けられ、シアン用取付部２２３ａとマゼンタ用取付部２２３ｂの間にリブ３０ｂが設けられている。同様に、マゼンタ用取付部２２３ｂとイエロー用取付部２２３ｃの間にリブ３０ｃが設けられている。
【００３１】
それぞれのリブ３０は、図１０に示すように第１リブ３１（３１ａ、３１ｂ、３１ｃ）と第２リブ３２（３２ａ、３２ｂ、３２ｃ）とから構成される。第１リブ３１は鉛直方向において斜面を構成し、記録装置１１の後方から前方に向かって高さが低くなるように設けられている。第１リブ３１は斜面の高い部分が取付部２２３と接続され、斜面の低い部分は第２リブ３２と接続される。第２リブ３２は第１リブ３１の低い部分とほぼ同じ高さであり、一端は第１リブ３１と接続され、他端は記録装置１１の前方へ延在している。
【００３２】
図８（ｂ）はキャップ２２の詳細構成を示す上面図である。キャップ２２は、弾性部材等で構成されたリード部２２１によって本体取付部（以下、取付部）２２３と繋がれている。リード部２２１は取付部２２３の近傍で、図８に示す回転方向Ａに約９０度屈曲した屈曲部２２２を有する。このようにリード部２２１と屈曲部２２２は、キャップ２２と取付部２２３とを接続する接続部としての役割を持つ。キャップ２２を当接する部材や保持する部材がない自然状態においては、屈曲部２２２によってキャップ２２は図８（ｂ）の状態を維持する。すなわち、キャップ２２は屈曲部２２２によって注入口２１から離れる方向に付勢されている。なお、本実施形態ではキャップ２２とリード部２２１と屈曲部２２２はすべて一体的に成型されている。
【００３３】
キャップ２２が図８（ａ）に示すように注入口２１を塞いでいるときは、リード部２２１が回転方向Ｂに湾曲されて、図８（ｃ）に示す状態となる。図８（ｃ）において、注入口２１は点線で示す。このときリード部２２１は、屈曲部２２２の屈曲方向と反対方向に湾曲されることで、回転方向Ａの方向に戻そうとする復元力（弾性力）を有する。しかしながら、キャップ２２が注入口２１に装着されて保持されている摩擦力の方がリード部２２１の弾性力よりも大きいため、キャップ２２は注入口２１を塞ぐキャッピング位置で保持される。従って、キャップ２２が注入口２１に装着されているとき、キャップ２２とリード部２２１のどちらもリブ３０とは当接しない。
【００３４】
図９（ａ）は、カラー用タンクカバー４２Ｃｌが露出位置にあり、マゼンタ用キャップ２２ｂがマゼンタ用注入口２１ｂから取り外されて、マゼンタ用注入口２１ｂが開放されている様子を示す。図９（ｂ）に示すように、ユーザによってキャップ２２が注入口２１から取り外されると、リード部２２１の弾性力によって、キャップ２２が回転方向Ａの方向に付勢される。付勢されたキャップ２２は屈曲部２２２を中心に回転方向Ａの方向にリード部２２１が回動し、リブ３０と当接することで回動が規制される。このように、ユーザによってキャップ２２が注入口２１から取り外されると、キャップ２２はリード部２２１の弾性力によって、注入口２１を塞ぐキャッピング位置から注入口２１を開放する退避位置に移動する。
【００３５】
これにより図９（ｃ）に示すように、ユーザがインクボトル９１のインクをインクタンク１５に注入する際、容易にインク注入動作を行うことができる。なお、キャップ２２が退避位置にあるときは、注入口２１の全体を開放する場合に限らず、注入口２１の一部を開放するように避ける位置にある場合も含む。また、リブ３０によってリード部２２１の回動が規制されるため、隣接する注入口２１やキャップ２２をインクで汚すことが低減される。具体的には、図９（ａ）に示すようにマゼンタ用キャップ２２ｂがリブ３０ｂと当接することで、シアン用キャップ２２ａやシアン用注入口２１ａにマゼンタインクを付着させることが低減されるため、インクの混色が抑制される。
【００３６】
なお、退避位置に移動したキャップ２２はリブ３０を構成する第１リブ３１と第２リブ３２のどちらに当接してもよい。ユーザによるキャップ２２を取り外す方向のずれやリード部２２１及び屈曲部２２２の部品寸法のばらつきによって、同じキャップ２２でもリブ３０の異なる位置に当接する場合も含む。すなわちキャップ２２の退避位置は一か所に限定されず、注入口２１から取り外されて注入口２１を開放するように避けた位置と定義される。また、屈曲部２２２の屈曲角度は９０度に限定されず、他の数値に設定されてもよい。さらに、取付部２２３は記録装置１１本体に設ける構成限らず、インクタンク１５に設ける構成であってもよい。
【００３７】
上述したように、リード部２２１の復元力を利用してキャップ２２がキャッピング位置から退避位置へ移動する簡易な構成によって、ユーザによるインク注入動作を容易にすることができる。すなわち、ユーザは注入口２１から外すという１アクションだけで注入口２１を開放することができ、さらに、リード部２２１等で記録装置１１本体と接続されているためキャップ２２を紛失することもない。また、退避位置に移動するキャップ２２をリブ３０と当接させることで、キャップ２２の移動範囲を規制し、キャップ２２の移動によって記録装置１１の他の場所にインクが付着するのを低減することができる。
【００３８】
なお、本実施形態ではキャップ２２とリード部２２１と屈曲部２２２が同一部品で構成されているが、本発明はこれに限定されない。バネ等の部材を用いて、退避位置に向かう方向へキャップ２２を付勢する構成とし、ユーザは付勢力に抗う力をかけてキャップ２２を注入口２１に装着する形態であってもよい。
【００３９】
次に、図１０と図１１を用いて、キャップ２２の閉め忘れを抑制する構成を説明する。図１０に示すように、タンクカバー４２の内面（被覆位置において注入口２１と対向する面）には複数のカバーリブ５０が設けられている。カバーリブ５０は、１つの注入口２１に対して２つずつ設けられている。図１０において、マゼンタ用キャップ２２ｂはマゼンタ用注入口２１に正しく装着されておらず、正しいキャッピング位置に位置していない。
【００４０】
図１０に示す状態のまま、ユーザがタンクカバー４２を露出位置から被覆位置へ移動させようとすると、図１１（ａ）に示すようにマゼンタ用キャップ２２ｂとカバーリブ５０が当接して、タンクカバー４２を被覆位置まで閉じることができない。このように、キャップ２２がキャッピング位置にない状態では、カバーリブ５０とキャップ２２ｂによってタンクカバー４２の回動が規制される。すなわち、キャップ２２が退避位置に退避した状態においても、タンクカバー４２の被覆位置への回動が規制される。このように、キャップ２２が正しく装着されていない場合、ユーザはタンクカバー４２を被覆位置まで閉じることができない構成になっている。
【００４１】
一方、図１１（ｂ）に示すようにすべてのキャップ２２が対応する注入口２１に正しく装着されてキャッピング位置に位置する場合は、タンクカバー４２の被覆位置への移動が規制されず、ユーザはタンクカバー４２を被覆位置まで閉じることができる。この場合、キャップ２２は２つのカバーリブ５０の間に収まるため、カバーリブ５０と当接しないためである。
【００４２】
上述したようにカバーリブ５０を設けることで、ユーザがキャップ２２を注入口２１に装着することを忘れた状態で記録装置１１を使用することを抑制することができる。これにより、ユーザによるキャップ２２の装着忘れにより、インクタンク１５と記録ヘッド１３の間におけるインクの水頭差が変位してインクが漏れることを抑制することができる。
【００４３】
〔第２実施形態〕
図１２と図１３を用いて、本実施形態のキャップ２２について説明する。図１２と図１３では例としてカラーインク用のインクタンク１５のキャップ２２を説明するが、ブラック用インクタンク１５１においても同様である。図１２（ａ）はカラー用タンクカバー４２Ｃｌが露出位置にあり、各色に対応するキャップ２２がキャッピング位置にある。
【００４４】
図１２（ｂ）は本実施形態のキャップ２２の詳細構成を示す上面図である。キャップ２２は第１実施形態と同様にリード部２２１によって取付部２２３に取り付けられている。本実施形態では、リード部２２１の屈曲部２２２が取付部２２３に対して回転方向Ｃの方向に約９０度屈曲している。そのため、キャップ２２が注入口２１に装着されているキャッピング位置では、リード部２２１は回転方向Ｄに湾曲されている。リード部２２１は、屈曲部２２２の屈曲方向と反対方向に湾曲されることで、回転方向Ｃの方向に戻そうとする復元力（弾性力）を有する。しかしながら、キャップ２２が注入口２１に装着されて保持されている摩擦力の方がリード部２２１の弾性力よりも大きいため、キャップ２２は注入口２１を塞ぐキャッピング位置で保持される。
【００４５】
図１３（ａ）は、カラー用タンクカバー４２Ｃｌが露出位置にあり、マゼンタ用キャップ２２ｂがマゼンタ用注入口２１ｂから取り外されて、マゼンタ用注入口２１ｂが開放されている様子を示す。図１３（ｂ）に示すように、ユーザによってキャップ２２が注入口２１から取り外されると、キャップ２２はリード部２２１の弾性力によってキャッピング位置から退避位置に移動する。本実施形態におけるキャップ２２の退避位置は注入口２１の鉛直上方である。これにより、図１３（ｃ）に示すように、本実施形態においても注入口２１へのインクボトル９１の挿入が干渉されず、ユーザは容易にインク注入動作を行うことができる。
【符号の説明】
【００４６】
１１  インクジェット記録装置
１３  記録ヘッド
１５  インクタンク
２１  注入口
２２  キャップ
３０  リブ
４２  タンクカバー
２２１  リード部（接続部）
２２２  屈曲部（接続部）
【図１】
2018183960.tif 000003
【図２】
2018183960.tif 000004
【図３】
2018183960.tif 000005
【図４】
2018183960.tif 000006
【図５】
2018183960.tif 000007
【図６】
2018183960.tif 000008
【図７】
2018183960.tif 000009
【図８】
2018183960.tif 000010
【図９】
2018183960.tif 000011
【図１０】
2018183960.tif 000012
【図１１】
2018183960.tif 000013
【図１２】
2018183960.tif 000014
【図１３】
2018183960.tif 000015
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
インクを吐出して画像を記録する記録ヘッドと、
インクを注入するための注入口を有し、前記記録ヘッドへ供給されるインクを収容するインクタンクと、
前記注入口をキャッピング可能なキャップと、
前記インクタンクまたは装置本体を前記キャップと接続し、前記キャップを前記注入口から離れる方向に付勢する接続部と、
前記接続部の付勢による前記キャップの動きを規制する規制部と、を備えることを特徴とするインクジェット記録装置。
【請求項２】
前記規制部は、前記注入口に隣接して設けられたリブであることを特徴とする請求項１に記載のインクジェット記録装置。
【請求項３】
前記インクタンクは、第１のインクを収容する第１のインクタンクと第２のインクを収容する第２のインクタンクとを含み、
前記リブは前記第１のインクタンクと前記第２のインクタンクの間に設けられていることを特徴とする請求項２に記載のインクジェット記録装置。
【請求項４】
前記接続部は弾性部材であり、弾性力によって前記キャップを前記注入口から離れる方向に付勢することを特徴とする請求項１から３のいずれか１項に記載のインクジェット記録装置。
【請求項５】
前記接続部は、前記キャップと接続されたリード部と、前記リード部を屈曲する屈曲部とを有し、前記屈曲部は前記リード部を前記注入口から離す方向に屈曲していることを特徴とする請求項４に記載のインクジェット記録装置。
【請求項６】
前記キャップを露出する露出位置と前記キャップを被覆する被覆位置とに移動可能なカバーを備え、
前記キャップが前記注入口に良好に装着されていないとき、前記カバーは前記露出位置から前記被覆位置への移動が規制されることを特徴とする請求項１から５のいずれか１項に記載のインクジェット記録装置。
【請求項７】
前記カバーは前記被覆位置において前記インクタンクの前記注入口が設けられた面と対向する内面に、前記被覆位置のとき前記インクタンクへ向けて突出するリブが設けられていることを特徴とする請求項６に記載のインクジェット記録装置。
【請求項８】
前記記録ヘッドと前記インクタンクを接続するインク流路と、前記インク流路を介して前記インクタンクから前記記録ヘッドへのインク供給が可能な開状態と前記インク流路を介して前記インクタンクから前記記録ヘッドへのインク供給が遮断される閉状態とに切替可能なバルブと、を備え、
前記カバーが前記被覆位置のとき前記バルブは前記開状態であり、前記カバーが前記露出位置のとき前記バルブは前記閉状態であることを特徴とする請求項６または７に記載のインクジェット記録装置。
【請求項９】
前記記録ヘッドにより画像を記録された記録媒体を排出する排出部を備え、
前記インクタンクはブラックインクを収容するブラック用インクタンクとカラーインクを収容するカラー用インクタンクとを有し、
前記排出部は前記ブラック用インクタンクと前記カラー用インクタンクの間に設けられていることを特徴とする請求項１から８のいずれか１項に記載のインクジェット記録装置。
【手続補正２】
【補正対象書類名】明細書
【補正対象項目名】０００６
【補正方法】変更
【補正の内容】
【０００６】
上記課題を解決するため、本発明に係るインクジェット記録装置は、インクを吐出して画像を記録する記録ヘッドと、インクを注入するための注入口を有し、前記記録ヘッドへ供給されるインクを収容するインクタンクと、前記注入口をキャッピング可能なキャップと、前記インクタンクまたは装置本体を前記キャップと接続し、前記キャップを前記注入口から離れる方向に付勢する接続部と、前記接続部の付勢による前記キャップの動きを規制する規制部と、を備えることを特徴とする。